(57)【特許請求の範囲】
【請求項１】
自動販売機のフロント面に着脱自在に装着される自動販売機用フロントカバーであって、
少なくとも自動販売機のフロント面の全部又は一部を覆うカバー本体（２）と、
該カバー本体（２）の任意の箇所に形成された商品広告表示部（１１、１２）と、
前記カバー本体（２）の上方部分に連設した、自動販売機のフロント扉（３２）と自動販売機本体（３１）間の上部の隙間（３３）に挿入される係止脚部（１３０２）を有する係止部材（１３）と、
前記カバー本体（２）の裏面任意の箇所に備えられた、前記カバー本体（２）の裏面を自動販売機のフロント面に吸着させるための連結部材と、を具備したことを特徴とする自動販売機用フロントカバー。
【請求項２】
自動販売機のフロント面に着脱自在に装着される自動販売機用フロントカバーであって、
少なくとも自動販売機のフロント面の全部又は一部を覆うカバー本体（２）と、
該カバー本体（２）の任意の箇所に形成された商品広告表示部（１１、１２）と、
前記カバー本体（２）の上方部分に連設した、自動販売機のフロント扉（３２）と自動販売機本体（３１）間の上部の隙間（３３）に挿入される係止脚部（１３０２）を有する係止部材（１３）と、
前記カバー本体（２）の裏面任意の箇所に備えられた、前記カバー本体（２）の裏面を自動販売機のフロント面に吸着させるための連結部材と、
前記カバー本体（２）の下方部分に備えられた、自動販売機のフロント扉（３２）と自動販売機本体（３１）間の下部の隙間（３４）において自動販売機本体（３１）に対向しているフロント扉（３２）の裏面と前記カバー本体（２）とを連結する下部固定部材（１６）と、を具備したことを特徴とする自動販売機用フロントカバー。
【請求項３】
前記商品広告表示部（１１、１２）が、前記フロントカバー本体（２）を正面側に向けて凸状に立体成型して形成されたことを特徴とする請求項１又は請求項２に記載の自動販売機用フロントカバー。
【請求項４】
前記連結部材は、前記カバー本体（２）の裏面任意の箇所に取り付けられたカバー側連結部材（１４）と、
前記カバー本体（２）を自動販売機のフロント面に装着した際に前記カバー側連結部材（１４）に連結可能な配置で前記自動販売機のフロント面に備えられる自動販売機側連結部材（１５）と、で構成されるとともに、前記カバー側連結部材（１４）及び自動販売機側連結部材（１５）は、互いに係脱可能な面ファスナーであることを特徴とする請求項１乃至請求項３のいずれかに記載の自動販売機用フロントカバー。
【請求項５】
前記連結部材がマグネットであることを特徴とする請求項１乃至請求項３のいずれかに記載の自動販売機用フロントカバー。
【発明の詳細な説明】
【技術分野】
【０００１】
本発明は自動販売機、ショーケース等のフロント面に装着される自動販売機用フロントカバーに係り、より詳しくは、装着が容易であるとともに容易に取り外すことはできない自動販売機用フロントカバーに関する。
【背景技術】
【０００２】
一般的に自動販売機やショーケース（以下「自動販売機」と総称する。）は、設置、あるいは回収に際して、いわゆる「ねこ」と呼ばれる手押しの運搬具を用いて運搬されるが、このとき、自動販売機のフロント面を下側にして運搬具に乗せ、この状態で設置場所等に運搬していくのが一般的である。
【０００３】
そのため、自動販売機は、フロント側の形状等に制約が生じてしまい装飾性に富んだインパクトのある自動販売機を製造できないという問題点が従来から指摘されていた。
【０００４】
即ち、インパクトのある自動販売機にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００５】
またこの他、自動販売機の設置、回収に際しては、クレーン、リフトを用いることもあり、例えばクレーンを用いた場合には、自動販売機にロープをかけ、このロープにクレーン先端を引っかけ、これによりクレーンで自動販売機を吊しながら移動、設置を行うが、このとき、フロント面に凹凸を形成してある場合や、フロント面を正面側に向けて湾曲させている場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００６】
そのために、従来の自動販売機では、運搬の際の損傷を最小限に抑えることを目的として、フロント面はできるだけフラットにすることが行われており、それにより、特にフロント面の装飾の自由度が制約されてしまい、自由にデコレーションを行うことができず、インパクトのある自動販売機の製造には限界が生じていた。
【０００７】
また、自動販売機においては、フロント扉に商品広告等を表示していることが一般的に行われているが、従来はフロント扉に塗装等により商品広告等を表示しており、これを他の広告に変更する場合には少なくともフロント扉全面を再塗装しなければならず、手間がかかるとともにコストも上がってしまうという問題点があった。
【０００８】
そしてこのことは、自動販売機の補修の際にも言えることであり、即ち、自動販売機の補修を行う場合には傷等のある箇所を含めてすべての塗装をし直すことが一般的であるため、そのための手間と費用がかかってしまうという問題点が考えられた。
【０００９】
そのために、本発明者は過去において、特に自動販売機のフロント面の装飾の自由度を高めてインパクトのある自動販売機にすることが可能であるとともに、装飾の変更、補修等を容易にすることを目的として、自動販売機に用いるフロントカバーを提案した。
【先行技術文献】
【特許文献】
【００１０】
【特許文献１】特開平２００７−６５７９２号公報
【発明の概要】
【発明が解決しようとする課題】
【００１１】
ところで、前述の従来のフロントカバーでは、特に専門の作業者に依頼することなく誰でも容易に取り付けることを可能にするため、接着材、両面テープ等により、自動販売機のフロント扉に装着することとしていた。
【００１２】
しかし、接着剤、テープ等により装着した際には、強い力で引っ張った場合には剥がれてしまうおそれが十分に考えられるという問題点があり、その一方、強力な接着剤等を用いた場合には交換等の際の取り外しが困難になってしまうという問題点が考えられる。
【００１３】
この点、ビス等を用いて自動販売機に装着する方法も考えられるが、ビス等により装着することとした場合には、専門の作業者が必要になり、素人が容易に取り付けることは困難になってしまう。
【００１４】
そこで、本発明は、専門の作業者によることなく誰でも容易に取り付けが可能であるとともに、容易には外すことができない自動販売機用フロントカバーを提供することを課題としている。
【課題を解決するための手段】
【００１５】
本発明の自動販売機用フロントカバーは、
自動販売機等のフロント面に着脱自在に装着される自動販売機用フロントカバーであって、
少なくとも自動販売機のフロント面の全部又は一部を覆うカバー本体と、
該カバー本体の任意の箇所に形成された商品広告表示部と、
前記カバー本体の上方部分に連設した、自動販売機のフロント扉と自動販売機本体間の上部の隙間に挿入される係止脚部を有する係止部材と、
前記カバー本体の裏面任意の箇所に備えられた、前記カバー本体の裏面を自動販売機のフロント面に吸着させるための連結部材と、を具備したことを特徴としている。
【発明の効果】
【００１６】
本発明の自動販売機用フロントカバーでは、自動販売機のフロント扉と自動販売機本体間の上部の隙間に挿入される係止脚部を有する係止部材をカバー本体の上方部分に連設し、また、カバー本体の裏面任意の箇所には、カバー本体の裏面任意の箇所を自動販売機のフロント面に吸着させるための、連結部材を備えている。
【００１７】
そして、本発明の自動販売機用フロントカバーを装着する場合には、自動販売機のフロント扉と自動販売機本体間の上部の隙間に係止部材の係止脚部が挿入されるようにしてカバー本体を自動販売機のフロント扉に係止するのみでよく、そのため、専門の作業者によることなく、誰でも容易に取り付けが可能である。
【００１８】
またその一方、係止部材と連結部材により自動販売機のフロント面に係止及び固定されているとともに、係止、固定の状態を正面側からは知ることができないために、外す権利を有さない者にとっては、容易に外すことができないという効果がある。
【００１９】
従って、本発明によれば、専門の作業者によることなく容易に取り付けが可能であるとともに容易には外すことができない自動販売機用フロントカバーを得ることが可能である。
【図面の簡単な説明】
【００２０】
【図１】本発明の自動販売機用フロントカバーの実施例の正面側斜視図である。
【図２】図１におけるＡ−Ａ線断面構造を示す図である。
【図３】本発明の自動販売機用フロントカバーの実施例を自動販売機のフロント扉に装着した状態を示す断面図である。
【図４】本発明の自動販売機用フロントカバーの他の形態を説明するための図である。
【図５】本発明の自動販売機用フロントカバーの他の形態を説明するための図である。
【発明を実施するための形態】
【００２１】
本発明の自動販売機用フロントカバーでは、カバー本体を有しており、このカバー本体は、少なくとも自動販売機のフロント面の全部又は一部を覆うこととしている。
【００２２】
そして、このカバー本体の任意の箇所には、商品の広告、キャッチフレーズ、商品デザイン等を表示した商品広告表示部を有している。
【００２３】
また、前記カバー本体の上方部分には係止部材が連設されており、この係止部材は、自動販売機のフロント扉と自動販売機本体間の上部の隙間に挿入される係止脚部を有している。
【００２４】
更に、本発明の自動販売機用フロントカバーでは、前記カバー本体の裏面任意の箇所には、カバー本体の裏面を自動販売機のフロント面に吸着させるための連結部材を有している。
【００２５】
ここで、前記カバー本体と、自動販売機のフロント扉と自動販売機本体の間の下部の隙間において自動販売機本体に対向しているフロント扉の裏面と、を連結する下部固定部材を前記カバー本体の下方部分に備えるとよく、これにより、より強固に、本発明の自動販売機用フロントカバーを自動販売機に取り付けることが可能となる。
【００２６】
また、前記商品広告表示部は、前記カバー本体を正面側に向けて凸状に立体成型して形成するとよく、これにより、製造コストを上げることなく、自動販売機に接する購買者に強いインパクトを与えることが可能な商品広告を得ることができる。
【００２７】
更に、前記連結部材は、カバー本体の裏面任意の箇所に取り付けられたカバー側連結部材と、カバー本体を自動販売機のフロント面に装着した際にカバー側連結部材に連結可能な配置で自動販売機のフロント面に備えられる自動販売機側連結部材とで構成するとともに、カバー側連結部材と自動販売機側連結部材は、互いに係脱可能な面ファスナーにするとよく、これにより、カバー本体を強力に自動販売機のフロント面に取り付けることができる。
【００２８】
またその他、連結部材をマグネットで構成してもよく、これにより、カバー本体を強力に自動販売機のフロント面に取り付けることができるとともに、取り付けが極めて容易となる。
【実施例１】
【００２９】
本発明の自動販売機用フロントカバー（以下単に「フロントカバー」という。）の実施例について図面を参照して説明すると、図１は本実施例のフロントカバーを説明するための斜視図であり、図２は図１におけるＡ−Ａ線断面図、具体的には本実施例のフロントカバーの縦断側面構造を示す図であり、図において１が本実施例のフロントカバーである。
【００３０】
そして、本実施例におけるフロントカバー１では、カバー本体を有しており、このカバー本体によって、自動販売機のフロント扉の正面、両側面、上面、及び底面を覆うこととしている。
【００３１】
ここで、前記カバー本体について説明すると、図において２がカバー本体であり、本実施例においてこのカバー本体２は、自動販売機のフロント面を覆うためのメインカバー３と、自動販売機のフロント扉の両側面を覆うためのサイドカバー４と、自動販売機のフロント扉の上面を覆うためのトップカバー５と、自動販売機のフロント扉の底面を覆うためのボトムカバー６とを有して構成され、全体を硬質な樹脂により一体形成している。
【００３２】
そして、前記メインカバー３は、自動販売機のフロント扉の正面側を十分に覆うことが可能な形状及び寸法としており、具体的には自動販売機のフロント扉の形状に合わせて縦長の長方形状とした平板状としている。
【００３３】
また、前記サイドカバー４は、前記メインカバー３の上下方向に沿った両端に後方側へ連設することにより形成しており、前記トップカバー５及びボトムカバー６はそれぞれ、前記メインカバー３の上端部分及び下端部分にそれぞれ、後方側へ連設することにより形成している。
【００３４】
そしてこれにより、自動販売機のフロント扉の正面側をメインカバー３で覆うことにより、サイドカバー４でフロント扉の両側面を覆い、トップカバー５でフロント扉の上面を覆い、更に、ボトムカバー６でフロント扉の底部分を覆うことを可能にしている。
【００３５】
次に、前記メインカバー３について説明すると、図において７は、商品見本展示用窓である。即ち、本実施例における前記メインカバー３は、メインカバー３で自動販売機のフロント扉の正面側を覆った際に自動販売機の商品見本展示部に対応する２箇所にそれぞれ、メインカバー３を切り欠くことにより、商品見本展示用窓７を形成している。
【００３６】
また、この商品見本展示用窓部７のそれぞれの下段は、自動販売機の商品選択ボタンの位置に対応する箇所を切り欠いて自動販売機の商品選択ボタンを押圧可能にし、この切り欠いた部分を商品選択ボタン用窓８としている。
【００３７】
なお、前記商品展示用窓部７は、必ずしもカバー本体２を切り欠いて形成する必要はなく、メインカバー３で自動販売機のフロント扉の正面側を覆った際に自動販売機の商品見本展示部に対応する箇所等を透明にして、これにより商品展示用窓７としてもよい。
【００３８】
あるいは、その他、メインカバー３で自動販売機のフロント扉の正面側を覆った際に自動販売機の商品展示部に対応する箇所に、商品の絵、写真等を表示し、又は、商品の画像を表示した液晶画面等の表示部を備えて、この部分を商品展示用窓７としてもよい。
【００３９】
また、このとき、メインカバー３で自動販売機のフロント扉の正面側を覆った際に自動販売機の商品展示部に対応する箇所のすべてを商品展示用窓７とする必要はなく、一部分のみを切り欠き、表示をしてもよい。
【００４０】
次に、前記メインカバー３において、メインカバー３で自動販売機のフロント扉の正面側を覆った際に、自動販売機のフロント扉に備えたコイン投入口、払い戻しレバー、釣り銭取り出し口、及び投入金額等の表示部を含むコイン投入領域に対応した部分にも切り欠きが形成されており、この切り欠き部分が、コイン投入用窓９とされている。
【００４１】
また、メインカバー３で自動販売機のフロント扉の正面側を覆った際に、自動販売機のフロント扉に備えた商品取り出し口に対応した部分にも切り欠きが形成されており、この切り欠き部分が商品取り出し用窓１０とされている。
【００４２】
このように、本実施例のフロントカバー１では、メインカバー３において、自動販売機のフロント扉に備えられている商品見本展示部、商品選択ボタン、コイン投入領域、及び商品取り出し口に対応した箇所を切り欠いて、商品の選択、コイン投入、商品の取り出し等を可能にしているため、これを自動販売機のフロント扉の正面に接着した場合でも自動販売機の使用には何らの悪影響もない。
【００４３】
なお、自動販売機においては、フロント面にゲーム等を備えたものも存在しているが、かかる自動販売機用に本実施例のフロントカバーを用いる場合には適宜、メインカバー３で自動販売機のフロント扉の正面側を覆った際に、自動販売機のフロント扉に備えたゲーム部分に対応した部分を切り欠いてゲーム用窓とするとよい。
【００４４】
なお、本実施例において前記カバー本体２は硬質の樹脂製としているが、必ずしも硬質の樹脂を用いて形成する必要はなく、その他、アルミ等の金属板や木製の板により形成してもよい。
【００４５】
次に、図において１１、１２は、販売している商品等の広告、キャッチフレーズ、商品デザインを表示した商品広告表示部であり、本実施例において商品広告表示部は、メインカバー３における前記商品展示用窓７の上方と、商品取り出し用窓１０の上方に設けられている。そして、前記商品展示用窓７の上方の商品広告表示部１２では「コーヒー」の文字が表示され、商品取り出し用窓１０の上方の商品広告表示部１１では、斜め方向に傾けたコーヒー缶の、正面側の半分部分を表示している。
【００４６】
そして、本実施例において前記商品広告表示部１１、１２はそれぞれ、前記メインカバー３を正面側に向けて凸状に押し出して立体成型して形成している。
【００４７】
即ち、本実施例における前記商品広告表示部１１は、図２にも示されるように、メインカバー３の正面側にコーヒー缶の正面側の半分部分が装着されたような形態になるように、メインカバー３をかまぼこ状に正面側に押し出して形成しており、これにより、メインカバー３における前記商品広告表示部１１の部分を、正面側に、コーヒー缶の正面側の半分部分の形態で飛び出させている。
【００４８】
また、商品展示用窓７の上方部分の商品広告表示部１２に表示した「コーヒー」の文字もまた、化粧カバー本体の正面側に「コーヒー」の文字が飛び出した形態になるように、メインカバー３を、「コーヒー」の文字状に正面側に押し出しており、これにより、「コーヒー」の文字を立体成型して形成している。なお、図１からも明らかなように、本実施例においては、「コーヒー」の文字を構成する部分の表面が円弧状にメインカバー３の正面側に飛び出すようにして立体成型しているが、必ずしもこのようにする必要はなく、角状に飛び出すようにしてもよい。
【００４９】
このように、本実施例のフロントカバー１では、メインカバー３を正面側に向けて凸状に立体成型することのみで、商品の広告、キャッチフレーズ、商品デザイン等を表示した商品広告表示部１１、１２を形成しているため、製造コストを上げることなく、自由にデコレーションを行うことができ、それによって、自動販売機に接する購買者に強いインパクトを与えることができる立体的な商品広告を得ることが可能である。
【００５０】
但し、本発明のフロントカバーにおいては、必ずしも、メインカバー３を正面側に向けて凸状に立体成型することで商品広告表示部１１、１２を形成する必要はない。
【００５１】
次に、図２において１３は、前記カバー本体２を自動販売機のフロント扉に取り付けるための係止部材である。即ち、本実施例のフロント扉１では、係止部材１３を有しており、この係止部材１３を用いて、フロントカバー１を自動販売機のフロント扉に取り付けることとしている。
【００５２】
ここで、前記係止部材１３について説明すると、本実施例における前記係止部材１３は、側面形状を鉤状としている。即ち、前記係止部材１３は、前記トップカバー５の裏面に取り付けられる取付部１３０１を有しており、この取付部１３０１は所定の長さとしている。
【００５３】
また、前記取付部１３０１における反メインカバー側端部には、取付部１３０１に直交する下方に向けて、所定長とした係止脚部１３０２が連設され、これにより、側面形状を鉤状としている。
【００５４】
そして、前記係止脚部１３０２を、自動販売機のフロント扉と自動販売機本体との間の上部の隙間に挿入することで、フロントカバー１を自動販売機のフロント扉に係止することとしている。
【００５５】
なお、前記係止部材１３の幅方向の長さ寸法は特に限定されず、メインカバー３の幅方向全域に取付可能な寸法としてもよく、あるいは、メインカバー３の一部分にのみ取り付けることとしてもよく、更に、係止部材１３を複数個備えて、メインカバー３の複数箇所に取り付けてもよい。
【００５６】
また、係止部材１３の形状及び取付箇所は特に限定されず、自動販売機のフロント扉と自動販売機本体間の上部の隙間に挿入される係止脚部を有するとともに、前記カバー本体２の上方部分に連設してあればよい。
【００５７】
次に、図２において１４、１５は、前記カバー本体２の裏面を自動販売機のフロント面に吸着させるための連結部材であり、本実施例においてこの連結部材１４、１５は、互いに係脱可能であるとともに結合力が強力な工業用の面ファスナーを用いている。
【００５８】
そして、本実施例において前記連結部材は、前記メインカバー３の裏面の下方部分に備えられるカバー側連結部材１４と、前記係止脚部１３０２を自動販売機のフロント扉と自動販売機本体との間の上部の隙間に挿入することでフロントカバー１を自動販売機のフロント扉に係止した際に、前記カバー側連結部材１４に結合可能な配置で自動販売機のフロント扉の表面に備えられる自動販売機側連結部材１５とを有しており、これにより、フロントカバー１を自動販売機のフロント扉に係止した際に、フロントカバー１の下方部分において、フロントカバー１と自動販売機のフロント扉を連結させることを可能としている。
【００５９】
このように、本実施例のフロントカバー１では、前記係止部材１３の係止脚部１３０２を自動販売機のフロント扉と自動販売機本体との間の上部の隙間に挿入することのみでフロントカバー１を自動販売機のフロント扉に係止することができるとともに、係止することで、前記カバー側連結部材１４と自動販売機側連結部材１５を強力に結合させることができるので、取り付けが容易であるとともに、容易に取り外すことができないフロントカバーとすることができる。
【００６０】
なお、本発明において前記連結部材は、必ずしも、互いに係脱可能な面ファスナーで構成する必要はなく、前記カバー本体２の裏面を自動販売機のフロント面に吸着させることが可能な手段であればいずれの手段を採用してもよい。従って、例えば、連結手段をマグネットで構成し、このマグネットの磁力によってカバー本体２の裏面を自動販売機のフロント面に吸着させてもよい。
【００６１】
そして、この場合は、カバー側連結部材１４及び自動販売機側連結部材１５の双方を互いに吸着可能なマグネットで構成してもよく、あるいは一方のみをマグネットにして他方を磁性体により構成してもよい。
【００６２】
また、その他、自動販売機のフロント面が金属等の磁性体である場合には、自動販売機側連結部材１５を用いず、カバー側連結部材１４のみを用いてこれをマグネットにより構成し、このカバー側連結部材１４を自動販売機のフロント面に吸着させてもよい。
【００６３】
次に、図２において１６は下部固定部材である。即ち、本実施例のフロントカバー１では、前記ボトムカバー６の下面に下部固定部材１６を備えており、この下部固定部材１６によって、フロントカバー１の下部部分を自動販売機のフロント扉に固定している。
【００６４】
ここで、前記下部固定部材１６について説明すると、本実施例における前記下部固定部材１６は、アルミ製テープ等の、強力な吸着力を有するテープとしている。
【００６５】
そして、この下部固定部材１６で、前記ボトムカバー６の下面と、自動販売機のフロント扉と自動販売機本体の間の下部の隙間において自動販売機本体に対向しているフロント扉の裏面と、を掛け渡し、これによりフロントカバー１を下部において、自動販売機のフロント扉に固定している。
【００６６】
即ち、本実施例においては、前記下部固定部材１６としてのテープの一端部分を前記ボトムカバー６の下面に貼着しており、他端部分は、自動販売機のフロント扉と自動販売機本体の間の下部の隙間に挿入しつつ、この隙間内で自動販売機本体に対向しているフロント扉の裏面側に貼着することとしている。
【００６７】
そのために、本実施例のフロントカバー１では、前記連結部材１４、１５による連結に加えて下部係止部材１６によってもフロントカバー１と自動販売機のフロント扉を固定しているために、強い外力を加えた場合でも容易には外れることが無いフロントカバーを得ることが可能である。
【００６８】
但し、この下部固定部材１６は必ずしも必要なものではなく、これを備えない構成としてもよく、また、下部固定部材を用いる場合においても、必ずしもアルミ製のテープにする必要はなく、フロントカバーをその下部において、自動販売機のフロント扉と固定可能であれば、いずれの手段を用いてもよい。
【００６９】
次に、このように構成される本実施例のフロントカバー１の作用について図３を参照して説明すると、図３は本実施例のフロントカバー１を自動販売機のフロント扉に取り付けている状態を示しており、図においてＶが自動販売機、３１が自動販売機本体、３２が自動販売機Ｖのフロント扉である。
【００７０】
そして、本実施例のフロントカバー１を自動販売機に取り付ける場合には、まず、自動販売機Ｖのフロント扉３２の表面に、自動販売機側連結部材１５を、接着剤、両面テープ等の接着手段で取り付けておき、その取り付け箇所は、本実施例のフロントカバー１で自動販売機Ｖのフロント扉３２の正面を覆った際に、前記カバー側連結部材１４に対向する箇所として、これにより、フロントカバー１で自動販売機Ｖのフロント扉３２の正面を覆った際に、前記カバー側連結部材１４と自動販売機側連結部材１５を結合可能とする。
【００７１】
そして、その状態で、前述したように、前記係止部材１３の係止脚部１３０２を、自動販売機のフロント扉３２と自動販売機本体３１との間の上部の隙間３３に挿入することで、本実施例のフロントカバー１を自動販売機のフロント扉３２に係止する。
【００７２】
更にその後、前記下部固定部材としてのテープ１６の一端部分を前記ボトムカバー６の下面に貼着するとともに、このテープ１６の他端部分を、自動販売機Ｖのフロント扉３２と自動販売機本体３１の間の下部の隙間３４内において、自動販売機本体３１に対向しているフロント扉３２の裏面側に貼着する。
【００７３】
そうすると、係止部材１３の係止によって、メインカバー３、サイドカバー４、トップカバー５及びボトムカバー６で、自動販売機Ｖのフロント扉３２の正面、左右側面、上面及び底面を覆うことができるとともに、前記連結部材１４、１５による連結でフロントカバー１とフロント扉３１を固定することができ、更に下部固定部材１６によっても、フロントカバー１をフロント扉３２に固定することができ、これにより、自動販売機Ｖの正面側をインパクトのある広告等で装飾することができるとともに、自動販売機Ｖのフロント扉３１を保護することも可能となる。
【００７４】
そしてこのとき、本実施例のフロントカバー１では、前記係止部材１３の係止脚部１３０２を自動販売機のフロント扉３２と自動販売機本体３１との間の上部の隙間３３に挿入することのみで、本実施例のフロントカバー１を自動販売機のフロント扉３２に係止することができるので、専門の作業者によることなく、誰でも容易に取り付けが可能である。
【００７５】
また、連結部材１４、１５と下部固定部材１６によって、フロントカバー１と自動販売機Ｖのフロント扉３２を強固に固定している一方で、係止部材１３によってフロントカバー１がフロント扉３２に係止されていることや、連結部材１４、１５と下部固定部１６によってフロントカバー１とフロント扉３１が固定されていることは、自動販売機の正面側からは知ることができないので、フロントカバー１を外す権利の有さない者にとっては、フロントカバー１を取り付けている方法が理解できないため、容易に外すことができない。
【００７６】
このように、本実施例のフロントカバー１では、専門の作業者によることなく、誰でも容易に取り付けが可能であるとともに、フロントカバー１を外す権利の有さない者にとっては、容易に外すことができない。
【００７７】
なお、前述の実施例では、カバー本体２は、メインカバー３、サイドカバー４、トップカバー５及びボトムカバー６を有して構成されるとともに、メインカバー３は自動販売機のフロント扉の正面側を十分に覆うことが可能な形状及び寸法とした場合を説明したが、カバー本体２は必ずしもこの形態には限定されず、少なくとも、自動販売機のフロント面の全部又は一部を覆うことが可能な形態であればよい。従って、サイドカバー、トップカバー及びボトムカバーを有さずにメインカバーのみを有してフロント扉の正面側のみを覆う形態のカバー本体としてもよく、この場合には、前記係止部材１３は、メインカバーの裏面に連設するとよい。
【００７８】
また、図４、図５は、メインカバー３の上端位置を自動販売機の上端よりも上方へ突出可能な寸法に設定した形態のカバー本体２の場合を示しており、カバー本体２はこのように、上端位置を自動販売機の上端よりも上方へ突出させて構成してもよい。そして、この場合の係止部材１３は例えば、図４、図５に示すように、メインカバー３の裏面に取り付けられる取付部１３０１と、この取付部１３０１の下端又は上端にメインカバー３と直交する後方へ連設された中間部１３０３と、この中間部１３０１の先端に下方に向けて連設された係止脚部１３０２で構成して、係止脚部１３０２を、自動販売機Ｖのフロント扉３２と自動販売機本体３１との間の上部の隙間３３に挿入することで、フロントカバー１を自動販売機のフロント扉に係止することとするとよい。
【産業上の利用可能性】
【００７９】
本発明のフロントカバーは、自動販売機、ショーケース等のフロント扉の正面、サイド面、上面に着脱自在に接着されるフロントカバーにおいて、製造コストを上げることなく、自由なデコレーションによって自動販売機に接する購買者に強いインパクトを与えることができる立体的な商品広告を得ることを可能にするとともに、自動販売機に接着する際に、自動販売機、ショーケース等における接着面とフロントカバーとの間に空気が入ってしまうことを有効に防止可能としているため、商品を収納して展示する機器に着脱自在に接着されるフロントカバーの全般に適用可能である。
【符号の説明】
【００８０】
１    フロントカバー
２    カバー本体
３    メインカバー
４    サイドカバー
５    トップカバー
６    ボトムカバー
７    商品見本展示用窓
８    商品選択ボタン用窓
９    コイン投入用窓
１０    商品取り出し用窓
１１、１２    商品広告表示部
１３    係止部材
１３０１    取付部
１３０２    係止脚部
１３０３    中間部
１４    カバー側連結部材
１５    自動販売機側連結部材
１６    下部固定部材
Ｖ    自動販売機
３１    自動販売機本体
３２    フロント扉
３３    自動販売機本体とフロント扉の間の上部の隙間
３４    自動販売機本体とフロント扉の間の下部の隙間
【図１】
0005647883.tif 000002
【図２】
0005647883.tif 000003
【図３】
0005647883.tif 000004
【図４】
0005647883.tif 000005
【図５】
0005647883.tif 000006